(57)【要約】【課題】ロータにコレットを組み付ける際に、余分な部品が必要でない安価な動力工具を提供する。【解決手段】円柱状本体２ａおよび円柱状本体２ａから突出した雄ねじ部付突部２ｃを有するロータ２と、雄ねじ部２ｂにねじ合わされる雌ねじ部３ｅを有するコレット３とを備え、両ねじ部２ｂ、３ｅをねじ合わせてロータ２にコレット３を組み付ける動力工具１である。ロータ２の雄ねじ部付突部２ｃには、組付用工具係合部２ｄが形成され、雄ねじ部２ｂに雌ねじ部３ｅをねじ合わせるさい、コレット３先端から組付用工具を挿入して組付用工具係合部２ｄに係合し、この工具を保持することでロータ２の回転を防止し得るようになっている。組付用工具係合部２ｄは、雄ねじ部付突部２ｃの前端部に形成された断面六角孔であることが好ましい。【選択図】　図１
2004090100.tif 000002
【特許請求の範囲】
【請求項１】
円柱状本体および円柱状本体から突出した雄ねじ部付突部を有するロータと、雄ねじ部にねじ合わされる雌ねじ部を有するコレットとを備え、両ねじ部をねじ合わせてロータにコレットを組み付ける動力工具において、
ロータの雄ねじ部付突部には、組付用工具係合部が形成され、
両ねじ部をねじ合わせるさい、コレット先端から組付用工具を挿入して組付用工具係合部に係合し、この工具を保持することでロータの回転を防止し得るようになっている動力工具。
【請求項２】
組付用工具係合部が、雄ねじ部付突部の前端部に形成された断面六角孔である請求項１記載の動力工具。
【発明の詳細な説明】
【０００１】
【発明の属する技術分野】
本発明は、圧縮空気で駆動される空気動工具や電力で駆動される電動工具などの動力工具に関する。
【０００２】
【従来の技術】
従来の空気動工具の１種として、図３および図４に示すものがある。これは、通常エアグラインダとして使用されるもので、ロータ２１、ナット２２およびコレット２３を備え、コレット２３の前端部２３ｄ内に円柱状の砥石を備えた作業用工具のシャンクが取り付けられる。
【０００３】
ロータ２１は、エアグラインダ２０のエアモータ部に供給される圧縮空気により回転するもので、円柱状本体２１ａおよび前部に雄ねじ部２１ｂが形成された円柱状突部２１ｃを備えている。円柱状突部２１ｃにはキー２４を取り付けるための凹部２１ｄが形成されている。
【０００４】
ナット２２には、これを円柱状突部２１ｃの後側、すなわち雄ねじ部２１ｂが形成されていない部分に嵌めるための貫通孔２２ａがあけられている。また、ナット２２には、キー２４が嵌め入れられるキー溝２２ｂが形成されており、キー２４が凹部２１ｄとキー溝２２ｂに係合することによってナット２２が円柱状突部２１ｃの後側に嵌められたときに、ナット２２がロータ２１に対して回転しないようになっている。
【０００５】
コレット２３は、一対の平行掴み面２３ａが形成された後側の掴み部２３ｂと、前側の作業用工具取付部２３ｃとよりなる。コレット２３には、これを軸方向に貫通する貫通孔２３ｄがあけられている。貫通孔２３ｄの内周の後部には、ロータ２１の雄ねじ部２１ｂとねじ合わされる雌ねじ部２３ｅが形成されている。雌ねじ部２３ｅは、貫通孔２３ｄのほぼ中央から後部にかけて形成されており、雌ねじ部２３ｅの後側には、ねじ山が切られていない部分が存在している。
【０００６】
作業用工具取付部２３ｃには、ロックナット２５がねじ合わされ、ロックナット２５を締め付けるあるいは緩め外すことで、前述した作業用工具を着脱するようになっている。なお、ロックナット２４をコレット２３にねじ合わす際は、コレットの平行掴み面２３ａを適当な工具で掴んでコレット２３とナット２４とが共回りするのを防止する。
【０００７】
このエアグラインダ２０においては以下の手順でロータ２１にコレット２３が組み付けられる。
【０００８】
まず、キー２４を凹部２１ｄに嵌めてからキー溝２２ｂをキー２４に対向するようにして円柱状突部２１ｃの後側にナット２２を嵌める。そして、コレット２３をロータ２１の円柱状突部２１ｃに嵌め被せる。ついで、手でコレット２３を回転させてロータ２１にコレット２３を仮組付する。この後、ナット２２を適当な工具で掴み、ロータ２１がコレット２３と共回りしないようにしてからコレット２３の平行掴み面２３ａを適当な工具で掴んでコレット２３を回転させ、ロータ２１にコレット２３をねじ合わす。
【０００９】
【発明が解決しようとする課題】
上記従来のエアグラインダ２０において、ナット２２は、ロータ２１にコレット２３を組み付ける際にロータ２１がコレット２３と共回りしないようにするためにのみ用いられるものであり、ナット２２が存在するために以下に述べるような問題が生じる。
【００１０】
すなわち、ロータ２１の円柱状突部２１ｃには、ナット２２を嵌める部分が必要となる。このため例えば、図４に示すように、ロータ２１の雄ねじ部２１ｂ以外の部分とコレット２３の雌ねじ部２３ｅ以外の部分との嵌めあい長さ（図４中に符号Ｌ１で示した）が短くなる。
【００１１】
嵌め合い長さＬ１が短いと、コレット２３がロータ２１に対して傾くことがあり、コレット２３の軸とロータ２１の軸とが一致しなくなってしまう。
【００１２】
コレット２３のロータ２１に対する傾きを防止するには、ナット２３の前端面がロータ２１の軸に対して垂直でかつコレット２３の後端面がコレット２３の軸に対して垂直であることが必要になる。
【００１３】
ナット２２の前端面をロータ２１の軸に対して垂直に保つには、ロータ２１の円柱状本体２１ａの前端面をロータ２１の軸に対して垂直とし、さらに、ナット２２の前後端面を互いに平行にする必要がある。すなわち円柱状本体２１ａの前端面およびコレット２３の後端面を対応する軸に対して垂直としかつナット２２の前後端面を互いに平行とする必要があり、これらの面の加工に高い精度が要求される。
【００１４】
しかし、いかに高い精度で加工しても誤差が避けられないため、コレット２３の軸とロータ２１の軸とが一致しない危険性を完全に払拭することはできない。
【００１５】
また、高い加工精度が要求される部位が多いとエアグラインダ２０が高価になるため、高い加工精度が要求される部位は少ないほうが好ましい。
【００１６】
本発明は上記のような問題が生じることを防止するために、ロータにコレットを組み付ける際に、余分な部品が必要でない安価な動力工具を提供することを目的とする。
【００１７】
【課題を解決するための手段および発明の効果】
上記課題を解決するために、本発明の動力工具は、
円柱状本体および円柱状本体から突出した雄ねじ部付突部を有するロータと、雄ねじ部にねじ合わされる雌ねじ部を有するコレットとを備え、両ねじ部をねじ合わせてロータにコレットを組み付ける動力工具において、ロータの雄ねじ部付突部には、組付用工具係合部が形成され、両ねじ部をねじ合わせるさい、コレット先端から組付用工具を挿入して組付用工具係合部に係合し、この工具を保持することでロータの回転を防止し得るようになっている
ものである。
【００１８】
この動力工具によれば、高い加工精度が要求されるナットが不要となる。そして、ナットが不要であるので、円柱状本体前端面およびコレット後端面が各軸に対して垂直であれば、ロータがコレットに組み付けられた際に、コレットがロータに対して傾かずロータの軸とコレットの軸とが一致する。すなわち、２面が各軸に対して垂直であればよく、高い加工精度が要求される部位が従来の動力工具より少ないので製造コストが安くなる。
【００１９】
また、従来の動力工具のように、突部の前部に雄ねじ部を形成し、ナットを無くした分だけコレットを後方に延長すれば、突部の雄ねじ部以外の部分とコレットの雌ねじ部以外の部分との嵌めあい長さを長くすることができ、上記２面が各軸に対して垂直でなくともコレットがロータに対して傾くのを防止できる。
【００２０】
上記２面を各軸に垂直にする場合は、突部の雄ねじ部以外の部分を短くすることができ、突部の長さを短くすることが可能になる。
【００２１】
また、ナットやキーが必要でなく、部品点数が少なくなるので、動力工具はさらに安価になる。
【００２２】
上記動力工具において、組付用工具係合部は、突部前端部に形成された断面多角形孔、特に断面六角形孔であることが好ましい。
【００２３】
加工が容易であり、かつロータの回転を先端側から差し込んだ六角レンチによって確実に防止できるからである。また、組付用工具係合部を断面多角形孔とすれば、組付用工具係合部を設けても雄ねじ部を含む突部の長さが変わらない。
【００２４】
【発明の実施の形態】
以下，図１および図２を参照して本発明の一実施形態のエアグラインダについて説明する。図１はエアグラインダの要部の斜視図であり、図２は要部を破断した側面図である。
【００２５】
エアグラインダ１は、ロータ２と、コレット３とを備え、コレット３の前端部に円柱状の砥石を備えた作業用工具（図示略）のシャンクが取り付けられる。
【００２６】
ロータ２は、エアグラインダ１のエアモータ部に供給される圧縮空気により回転させられるもので、円柱状本体２ａおよび前部に雄ねじ部２ｂが形成された円柱状突部２ｃを備えている。円柱状突部２ｃ前端部には組付用工具係合部としての断面六角形孔２ｄがあけられている。
【００２７】
コレット３は、一対の平行掴み面３ａが形成された後側掴み部３ｂと、前側の工具取付部３ｃとよりなる。コレット３には、これを軸方向に貫通する貫通孔３ｄがあけられている。貫通孔３ｄの内周には、ロータ２の雄ねじ部２ｂとねじ合わされる雌ねじ部３ｅが、コレット３の中央よりやや後側に形成されている。また、貫通孔３ｄにおける雌ねじ部３ｅ後端とコレット３の後端との間にはねじが切られていない部分が存在している。
【００２８】
作業用工具取付部３ｃには、ロックナット４がねじ合わされ、ロックナット４を締め付けるあるいは緩め外すことで、前述した作業用工具を着脱するようになっている。なお、ロックナット４をコレット３にねじ合わす際は、コレット３の平行掴み面３ａを適当な工具で掴んでコレット３とナット４とが共回りするのを防止する。
【００２９】
上記の構成を有するエアグラインダ１においては、以下のようにしてロータ２にコレット３が組み付けられる。
【００３０】
まず、コレット３をロータ２の円柱状突部２ｃに嵌め被せる。そして、手でコレット３を回転させてロータ２にコレット３を仮組付する。この後、コレット３の貫通孔３ｄへ前方から六角レンチを挿入して円柱状突部２ｃ前端の断面六角孔２ｄに嵌め入れる。次いで、コレット３の平行掴み面３ａをレンチで掴む。そして、レンチでコレット３を回転させてコレット３の雌ねじ部３ｅをロータ２の雄ねじ部２ｂにねじ合わせる。この際、六角レンチを保持し、ロータ２がコレット３と共回りするのを防止する。
【００３１】
ところで、従来のエアグラインダ２０に比して、上記実施形態のエアグラインダ１は、円柱状突部２ｃの雄ねじ部２ｂ以外の部分とコレット３の雌ねじ部３ｅ以外の部分との嵌め合い長さ（図２中にＬ２で示した）が長い。このため、円柱状本体２ａ前端面が円柱状本体２ａの軸に対してあるいはコレット３後端面がコレット３の軸に対して垂直でなくとも、すなわち、両端面が密着しなくてもコレット３がロータ２に対して傾かず、コレット３の軸とロータ２の軸とが一致する。
【００３２】
本発明は上記実施形態のものには限られず適宜変更可能である。たとえば、大型のエアグラインダの場合は、組付用工具係合部として雄ねじ部から突出する断面六角形状部を形成し、この断面六角形状部にボックスレンチを嵌め合わせてロータにコレットを組み付ける際のロータの共回りを防止するようにしてもよい。
【００３３】
以上、空気動工具に本発明を適用した場合について説明したが、電動工具やその他の動力工具にも、本発明は適用可能である。
【図面の簡単な説明】
【図１】本発明の一実施形態の動力工具の要部の斜視図である。
【図２】同動力工具の要部を破断した側面図である。
【図３】従来の動力工具の要部の斜視図である。
【図４】同動力工具の要部を破断した側面図である。
【符号の説明】
１　　動力工具（エアグラインダ）
２　　ロータ
２ａ　円柱状本体
２ｂ　雄ねじ部
２ｃ　雄ねじ部付円柱状突部
２ｄ　組付用工具係合部（断面六角孔）
３　　コレット
３ｅ　雌ねじ部
【図１】
2004090100.tif 000003
【図２】
2004090100.tif 000004
【図３】
2004090100.tif 000005
【図４】
2004090100.tif 000006